(57)【特許請求の範囲】
【請求項１】
冷蔵庫本体と、該冷蔵庫本体の前面に開閉可能に取り付けられた扉体と、該扉体の内部に設置されて前記扉体の前面に画像を表示する表示装置と、該表示装置を制御する表示制御部と、を備える冷蔵庫であって、
前記扉体は、前記表示制御部から発生するノイズが前記扉体の外部へ漏れ出すのを遮断するためのシールド部材を備え、
前記扉体の側壁には、電装部品が設けられ、
前記シールド部材は、少なくとも前記表示制御部の側方を覆うように構成された、前記扉体の側壁に沿って上下方向に延設した板状部材であり、その上端部又は下端部には前記電装部品に接続する配線用の貫通孔を有する
ことを特徴とする冷蔵庫。
【請求項２】
前記シールド部材は、前記扉体の側壁に沿って上下方向に延設した板状部材であり、その上端部又は下端部には給排気用の貫通孔を有する
ことを特徴とする請求項１に記載の冷蔵庫。
【請求項３】
前記シールド部材として、前記表示装置を前記扉体の内部に固定する固定部材を有する
ことを特徴とする請求項１又は請求項２に記載の冷蔵庫。
【請求項４】
前記シールド部材として、前記表示装置を摺動可能に支持する案内部材を有する
ことを特徴とする請求項１又は請求項２に記載の冷蔵庫。
【発明の詳細な説明】
【技術分野】
【０００１】
本発明は、冷蔵庫、特に、扉体に画像表示装置が搭載された冷蔵庫の構造に関する。
【背景技術】
【０００２】
従来、冷蔵庫において、その扉体の前面に種々の画像情報を表示するための液晶ディスプレイ等の画像表示装置が扉体の内部に設けられたものが知られている。例えば、特許文献１には、大型の画像表示装置を備えた冷蔵庫が開示されている。
【０００３】
ここで、一般に画像表示装置は、プリント配線板上にＣＰＵやメモリ等からなる制御回路が搭載された表示制御基板によって制御されるが、デジタル回路を動作させる表示制御基板の場合、基板上の信号線に流れる電流には高周波が含まれており、この高周波電流がノイズの源になることがある。そして、ノイズは信号線だけではなく、プリント配線板やケーブルなど様々な個所をアンテナとして放射されることがある。
【０００４】
そのため、特許文献１に開示されているような画像表示装置を備えた冷蔵庫の場合、扉体の内部の表示制御基板から放射されたノイズが扉体の外部へ漏れ出して、冷蔵庫の周囲の電子機器等に不具合が発生するおそれがある。
【先行技術文献】
【特許文献】
【０００５】
【特許文献１】特開２０１４−２０６３２１号公報
【発明の概要】
【発明が解決しようとする課題】
【０００６】
そこで、本発明は、画像表示装置を制御する表示制御部から発生したノイズが冷蔵庫の扉の外部へ漏れ出すのを抑制できる冷蔵庫を提供することを課題とする。
【課題を解決するための手段】
【０００７】
前記課題を解決するため、本発明に係る冷蔵庫は、次のように構成したことを特徴とする。
【０００８】
本発明は、冷蔵庫本体と、該冷蔵庫本体の前面に開閉可能に取り付けられた扉体と、該扉体の内部に設置されて前記扉体の前面に画像を表示する表示装置と、該表示装置を制御する表示制御部と、を備える冷蔵庫であって、前記扉体は、前記表示制御部から発生するノイズが前記扉体の外部へ漏れ出すのを遮断するためのシールド部材を備えることを特徴とする。
【０００９】
本発明によれば、扉体に表示制御部から発生するノイズが扉体の外部へ漏れ出すのを遮断するためのシールド部材を備えるので、表示制御部から発生するノイズが扉体の外部へ漏れ出すのを遮断することができ、冷蔵庫の周囲の電子機器等に不具合が発生するのを防止できる。
【００１０】
また、本発明は、前記シールド部材は、少なくとも前記表示制御部の側方を覆うように構成されることを特徴とする。
【００１１】
本発明によれば、シールド部材は少なくとも表示制御部の側方を覆うように構成されるので、扉体の側壁を介して扉体の外部へ漏れ出すノイズを効果的に遮断することができる。
【００１２】
また、本発明は、前記扉体の側壁には、電装部品が設けられ、前記シールド部材は、前記扉体の側壁に沿って上下方向に延設した板状部材であり、その上端部又は下端部には前記電装部品に接続する配線用の貫通孔を有することを特徴とする。
【００１３】
本発明によれば、シールド部材は、その上端部又は下端部に電装部品に接続する配線用の貫通孔を有するので、表示装置から発生するノイズを遮断しながら、表示装置に必要な配線を接続することができる。
【００１４】
また、本発明は、前記シールド部材は、前記扉体の側壁に沿って上下方向に延設した板状部材であり、その上端部又は下端部には給排気用の貫通孔を有することを特徴とする。
【００１５】
本発明によれば、シールド部材は、その上端部又は下端部には給排気用の貫通孔を有するので、表示装置から発生するノイズと熱に対する遮断性と放熱性を両立することができる。
【００１６】
また、本発明は、前記シールド部材として、前記表示装置を前記扉体の内部に固定する固定部材を有することを特徴とする。
【００１７】
本発明によれば、表示装置を扉体の内部に固定する固定部材は、シールド部材を兼ねているので、部品点数の削減等を達成することができる。
【００１８】
また、本発明は、前記シールド部材として、前記表示装置を摺動可能に支持する案内部材を有することを特徴とする。
【００１９】
本発明によれば、表示装置を摺動可能に支持する案内部材は、シールド部材を兼ねているので、部品点数の削減等を達成することができる。
【図面の簡単な説明】
【００２０】
【図１】本発明の実施形態の冷蔵庫全体を概略的に示す斜視図である。
【図２】図１の冷蔵庫の上扉の内側を示す斜視図である。
【図３】図２の上扉の内部構造を示す分解斜視図である。
【図４】図２の上扉のＥ−Ｅ線における縦断面図である。
【図５】表示制御基板から発生するノイズの遮断について説明する説明図である。
【発明を実施するための形態】
【００２１】
以下、本発明に係る本実施形態の冷蔵庫１について、図１から図５を参照しながら説明する。
【００２２】
（冷蔵庫の全体構成）
図１は、本実施形態の冷蔵庫全体を概略的に示す斜視図である。図１に示すように、冷蔵庫１は、その内部に食品等の貯蔵室として、上段に図示しない冷蔵室と下段に図示しない冷凍室が配設された冷蔵庫本体２を備える。また、冷蔵庫１は、冷蔵庫本体２の前方Ｙ１の上下にそれぞれ、片開き式の扉体３として上扉３ａと下扉３ｂを備える。冷蔵庫本体２は、その右方Ｘ１に複数のヒンジ部材４が取り付けられており、ヒンジ部材４は、各扉体３を上下方向Ｚに延びる軸線を中心として水平方向に回動可能に軸支持している。これにより、上扉３ａは、冷蔵室の前面の図示しない開口部を開閉し、下扉３ｂは、冷凍室の前面の図示しない開口部を開閉することができる。
【００２３】
各扉体３は、扉体３の前面に画像を表示する液晶ディスプレイ等の画像表示装置５がその内部に設けられる。各扉体３の前面には、画像表示装置５の表面を覆うように、光透過性を有するガラス板等の透明前板６が設けられる。また、各扉体３の左方Ｘ２側面には、ユーザが扉体３を開く際に指先を引っ掛けるための凹部７が形成される。
【００２４】
冷蔵庫本体２には、冷凍室、冷蔵室等の各室を設定された温度に制御するための図示しないコンプレッサ及びファンモータと、コンプレッサ及びファンモータの動作を制御するための図示しない冷蔵庫本体制御部と、が設けられている。また、冷蔵庫本体２の上面には、画像表示装置５に電力を供給するための図示しない専用電源装置が設けられており、専用電源装置を上方から覆うように、上カバー部材８が装着される。
【００２５】
ここで、画像表示装置５は、各種の映像、文字、記号等を画像として表示可能なものであり、例えば、液晶、プラズマ及び有機エレクトロルミネンス等のディスプレイ装置を含む。また、画像表示装置５は、内蔵されたテレビチューナによって受信されたテレビ放送信号に基づいてテレビ番組の映像を表示するテレビ受像機であってもよい。
【００２６】
（扉体の構造）
次に、冷蔵庫１の扉体３の詳細な構造について、図２から図５を参照しながら説明する。なお、以下で特段の説明がなければ、下扉３ｂは上扉３ａと共通の構造を有するものとする。
【００２７】
図２は、図１の冷蔵庫の上扉の内側を示す斜視図である。図２に示すように、扉体３は、上下方向Ｚに複数段でポケット部１１が内側に脱着可能に取り付けられており、これらポケット部１１は、冷蔵庫本体２の前面の開口部に収容可能に設けられる。
【００２８】
図３は、図２の上扉の内部構造を示す分解斜視図である。図３に示すように、扉体３は、扉本体ユニット２０と、扉本体ユニット２０の内部に組み付けられる画像表示ユニット３０と、を備える。
【００２９】
図４は、図２の上扉のＥ−Ｅ線における縦断面図である。図４に示すように、扉本体ユニット２０は、扉体３の内側を構成する扉内板２１と、扉内板２１と対向して設けられた中間板２２と、を備える。扉内板２１は、内側にポケット部１１が取り付けられると共に、扉体３に気密性を持たせるために、周縁部にガスケット２３が取り付けられている。扉内板２１と中間板２２で挟まれた空間には、扉体３に断熱性を持たせるために、硬質ウレタン等の断熱材２５が充填発泡される。
【００３０】
また、扉本体ユニット２０は、画像表示ユニット３０を内部に収容保持する略直方体形状の枠体２６を備える。枠体２６は、左側面に画像表示ユニット３０が通過可能な扉体開口部２０ａを備え、内部に画像表示ユニット３０を収容可能な収容空間２０ｂを備える。枠体２６は、後面が中間板２２の前面の周囲に取り付けられる。
【００３１】
枠体２６の内部には、画像表示ユニット３０を、扉体開口部２０ａを介して収容空間２０ｂの内部へ案内するための案内部材２８が取り付けられる。本実施形態では、案内部材２８は、枠体２６の後面の開口部を亘って左右方向Ｘに延びるように、枠体２６の後面を構成する開口縁部の前面側に案内部材２８の左右両端が取り付けられている。案内部材２８は、矩形の平板状部材であり、上端縁及び下端縁が略Ｕ字状に内方に向けて折り曲げられた屈曲部２８ａ，２８ｂを有する。なお、枠体２６及び案内部材２８は、板金加工により作製されるが、樹脂成形により作製してもよい。
【００３２】
また、扉本体ユニット２０は、画像表示装置５の画面が透過可能な透明前板６を備える。透明前板６は、枠体２６の前面に両面接着シート２７によって接着される。本実施形態では、透明前板６は、ユーザが画像表示装置５に表示される画像を見ながら所定のアプリケーション等を操作するためのタッチパネル型の操作装置として機能する。透明前板６は、矩形のガラス板６ａと、ガラス板６ａの表面全体に貼り付けられた静電容量方式の透明電極膜６ｂと、を備え、透明電極膜６ｂの表面に指などが触れたときの静電容量の変化を検知できるように構成される。なお、透明前板６は、透明電極膜６ｂを設けずに、操作装置として兼用されないものであってもよい。また、透明前板６とは別体の操作装置が設けられてもよい。
【００３３】
画像表示ユニット３０は、画像表示装置５を備えると共に、画像表示装置５の裏面の中央に、画像表示装置５を制御するための表示制御基板５０を備える。表示制御基板５０には、例えば、ＣＰＵとＲＡＭを同一パッケージに内蔵したマイクロコンピュータを主要部として構成された制御部や、ＲＡＭ、ＲＯＭ、ＥＥＰＲＯＭ、フラッシュメモリ等で構成された記憶部等が設けられる。表示制御基板５０は、所定のアプリケーションソフトウェアをインストールすることで、又は、内蔵する記憶部に記憶されたアプリケーションソフトウェアのプログラムを起動することで、画像表示装置５にアプリケーションの画面が出力されるように構成される。
【００３４】
画像表示装置５の裏面には、扉本体ユニット２０の案内部材２８に係合可能な係合部材３３が取り付けられている。係合部材３３は、中央に表示制御基板５０が挿通可能な開口部を有する平板状部材であり、上端縁及び下端縁には、後方に向けて屈曲して形成された上面部３３ａと下面部３３ｂと、上面部３３ａと下面部３３ｂの後方端部から更に上下方向かつ互いに離間する方向に向けて屈曲された鍔部３３ｃ，３３ｄと、を有する。また、上面部３３ａ又は下面部３３ｂには、上下方向Ｚに連通する連通孔３３ｅが形成される。
【００３５】
また、図３に示すように、画像表示ユニット３０は、表示制御基板５０を冷却するための複数の基板用ファンモータ３１を備える。基板用ファンモータ３１は、係合部材３３の右側端部に取り付けられたファン支持部材３２によって支持される。ファン支持部材３２は、扉体３の側壁に沿って上下方向Ｚに延設した平板状部材であって、上下部にそれぞれ給排気用の貫通孔３２ａ，３２ｂを有する。本実施形態では、基板用ファンモータ３１として、２つの排気用基板用ファンモータ３１ａと２つの吸気用基板用ファンモータ３１ｂを備えている。排気用基板用ファンモータ３１ａは、ファン支持部材３２の上部に設けられた貫通孔３２ａを介して、収容空間２０ｂから暖められた空気を排出する。一方で、吸気用基板用ファンモータ３１ｂは、ファン支持部材３２の下部に設けられた貫通孔３２ｂを介して、収容空間２０ｂ内へ冷えた外気を取り込む。また、各ファン支持部材３２の上下端には、基板用ファンモータ３１によって表示制御基板５０を効率的に冷却するために、整流板３４ａ，３４ｂがそれぞれ取り付けられている。
【００３６】
更に、本実施形態では、断熱材２５の前面側であって中間板２２の背面の中央には、表示制御基板５０の結露防止のために、周囲を保温するための基板用ヒータ２４が取り付けられている。
【００３７】
ここで、扉本体ユニット２０の枠体２６は、左側面に画像表示装置５が通過可能な扉体開口部２０ａを備えると共に、扉体開口部２０ａを介して内部に画像表示ユニット３０を収容可能な収容空間２０ｂを備えている。すなわち、扉体開口部２０ａは、収容空間２０ｂに連通するように構成される。なお、本実施形態では、上扉３ａのみ枠体２６の上部に、冷蔵庫１の前方を撮像するためのＣＣＤカメラ等の撮像装置２９が設けられる。
【００３８】
図４に示すように、収容空間２０ｂに画像表示ユニット３０が収容された状態において、画像表示装置５の背面５ａと、収容空間２０ｂの冷蔵庫本体側の面を画定する中間板２２の前面２２ａとは、隙間Ｇを介して互いに対向している。隙間Ｇにおいて、係合部材３３の鍔部３３ｃ，３３ｄはそれぞれ、案内部材２８の屈曲部２８ａ，２８ｂに対して、左右方向Ｘに摺動可能に係合する。そのため、画像表示ユニット３０は、扉体開口部２０ａを介して収容空間２０ｂに対して挿入又は取り出し可能に、扉本体ユニット２０によって保持される。
【００３９】
収容空間２０ｂに挿入された画像表示ユニット３０が左右方向Ｘに移動しないように、画像表示ユニット３０を枠体２６に対して固定する固定部材３５が枠体２６の左側方に設けられる。固定部材３５は、扉体３の側壁に沿って上下方向Ｚに延びる平板状部材であって、その上部と下部にそれぞれ配線用の貫通孔３５ａ，３５ｂを有している。固定部材３５は、枠体２６の左側面と係合部材３３の左側端にネジ等で脱着可能に固定される。
【００４０】
この状態において、中間板２２の前面２２ａと画像表示装置５の背面５ａとによって挟まれた隙間Ｇは、上述のように互いに案内保持する案内部材２８及び係合部材３３によって、上下方向Ｚに並んだ３つの空間Ａ，Ｂ，Ｃに画成される。
【００４１】
これら空間Ａ，Ｂ，Ｃのうち、上側の空間Ａには、冷蔵庫本体２と表示制御基板５０間を接続する配線６５を収納することができると共に、中間に位置する空間Ｂには、表示制御基板５０を収納することができる。このとき、配線６５は、表示制御基板５０から係合部材３３の連通孔３３ｅを挿通して空間Ａ内に延びており、空間Ａ内に収納された配線６５は、枠体２６の内面に取り付けられた複数の配線固定具７０によって固定される。
【００４２】
上述の扉本体ユニット２０は、左側面に左カバーユニット４１、右側面に右カバー４２、上面に上カバー４３、及び下面に下カバー４４が装着される。左カバーユニット４１、右カバー４２、上カバー４３及び下カバー４４はそれぞれ、扉体３の筐体として左側壁、右側壁、上壁及び下壁をなす。
【００４３】
左カバーユニット４１は、上下方向Ｚに延設し、側面に凹部７が形成されたカバー本体部４５を備える。カバー本体部４５は、例えば、スピーカ等の音声出力装置４６、複数のＬＥＤ発光体４７、マイク等の音声入力装置４８、ＵＳＢ等のコネクタを接続可能な外部接続端子４９等の電装部品が取り付けられる。電装部品４６，４７，４８，４９に接続された電線は、固定部材３５に設けられた配線用の貫通孔３５ａ，３５ｂを介して収容空間２０ｂの内部に配線される。
【００４４】
右カバー４２は、上下方向Ｚに延設した平板状部材であり、収容空間２０ｂから扉体３の外部へ空気を排出することが可能な排気口４２ａと、収容空間２０ｂに扉体３の外部から空気を取り込むことが可能な吸気口４２ｂと、を備える。
【００４５】
（表示制御基板のシールド構造）
図５は、表示制御基板５０から発生するノイズの遮断について説明する説明図である。図５に示すように、本実施形態において、表示制御基板５０から発生するノイズを遮断するためのシールド部材３６は、係合部材３３、ファン支持部材３２及び固定部材３５によって構成される。係合部材３３、ファン支持部材３２及び固定部材３５は、金属等の電磁波遮断材料から形成されており、例えば、板金加工により作製することができる。板金の材料として、例えば、軟鋼板、ステンレス鋼板、アルミニウム板、アルミニウム合金板、表面処理鋼板、銅板、銅合金板などを用いることができる。
【００４６】
ファン支持部材３２と固定部材３５は、少なくとも係合部材３３ｃ，３３ｄに挟まれた空間Ｂを側方から覆う長さに形成されており、本実施形態では、画像表示装置５の上下方向Ｚの長さと略等しい長さに形成される。
【００４７】
表示制御基板５０は、左側方Ｘ２と右側方Ｘ１がそれぞれファン支持部材３２と固定部材３５によって覆われている。表示制御基板５０から左右方向Ｘに放射されたノイズは、ファン支持部材３２及び固定部材３５によって遮断されるので、扉体３の外部へ漏れ出さない。同様に、表示制御基板５０は、上方Ｚ１と下方Ｚ２が係合部材３３ｃと３３ｄによって覆われている。表示制御基板５０から上下方向Ｚに放射されたノイズは、係合部材３３ｃ，３３ｄによって遮断されるので、扉体３の外部へ漏れ出さない。
【００４８】
ここで、一般にノイズの強さはノイズ源からの距離に反比例する。そのため、ファン支持部材３２の給排気用の貫通孔３２ａ，３２ｂと固定部材３５の配線用の貫通孔３５ａ，３５ｂは、いずれも各部材の上端部及び下端部に設けられており、表示制御基板５０から離れた位置にあると共に、表示制御基板５０から発生したノイズは係合部材３３ｃ，３３ｄによってほとんど遮断されるので、貫通孔３２ａ，３２ｂ，３５ａ，３５ｂを介して外部に漏れ出すノイズは極めて少ない。
【００４９】
以上により、本実施形態によれば、扉体３３は表示制御基板５０から発生するノイズが扉体３の外部へ漏れ出すのを遮断するためのシールド部材３６として係合部材３３、ファン支持部材３２及び固定部材３５を備えるので、表示制御基板５０から発生するノイズが扉体３の外部へ漏れ出すのを遮断することができ、冷蔵庫１の周囲の電子機器等に不具合が発生するのを防止できる。
【００５０】
本実施形態によれば、ファン支持部材３２及び固定部材３５は少なくとも表示制御基板５０の側方を覆うように構成されるので、扉体３の側壁を介して扉体３の外部へ漏れ出すノイズを効果的に遮断することができる。
【００５１】
本実施形態によれば、上下方向Ｚに延設した板状部材である固定部材３５は、その上端部及び下端部に電装部品４６，４７，４８，４９に接続する配線用の貫通孔３５ａ，３５ｂを有するので、画像表示装置５から発生するノイズを遮断しながら、画像表示装置５に必要な配線を接続することができる。
【００５２】
本実施形態によれば、扉体３の側壁に沿って上下方向Ｚに延設した板状部材であるファン支持部材３２は、その上端部及び下端部には給排気用の貫通孔３２ａ，３２ｂを有するので、画像表示装置５から発生するノイズと熱に対する遮断性と放熱性を両立することができる。
【００５３】
本実施形態によれば、画像表示装置５を扉体３の内部に固定する固定部材３５は、シールド部材３６を兼ねているので、部品点数の削減等を達成することができる。
【００５４】
本実施形態によれば、画像表示装置５を摺動可能に支持する案内部材３３は、シールド部材３６を兼ねているので、部品点数の削減等を達成することができる。
【００５５】
なお、本発明は、例示された本実施形態に限定されるものではなく、本発明の要旨を逸脱しない範囲において、種々の改良及び設計上の変更が可能である。
【００５６】
例えば、本実施形態では、上下２枚の扉３ａ，３ｂを備える片開き式の冷蔵庫１について説明したが、これに限定されるものではなく、例えば、１枚の片開き式の扉を有する冷蔵庫、上下方向Ｚに３枚以上の片開き式の扉を有する冷蔵庫等であってもよい。また、本実施形態では、片開き式の冷蔵庫１について説明したが、左右両端に軸支持された２枚の扉が左右方向Ｘに開く観音開き式の冷蔵庫であってもよい。
【００５７】
また、本実施形態では、画像表示装置５を左右方向Ｘに摺動させる構造を有する扉体について説明したが、これに限定されるものではなく、例えば、案内部材２８を上下方向Ｚに延設し、画像表示装置５を上下方向Ｚに摺動させるものであってもよい。
【００５８】
更に、本実施形態では、給排気用の貫通孔３２ａ，３２ｂと配線用の貫通孔３５ａ，３５ｂを異なるシールド部材３６に設けた場合について説明したが、これに限定されるものではなく、例えば、給排気用と配線用の貫通孔を同じシールド部材３６に個別に又は共通して設けてもよい。また、給排気用又は配線用の貫通孔は、いずれか一方のみをシールド部材３６に設けてもよく、いずれもシールド部材３６に設けなくてもよい。
【産業上の利用可能性】
【００５９】
以上のように、本発明によれば、表示装置を制御する表示制御部から発生したノイズが冷蔵庫の扉体の外部へ漏れ出すのを抑制できる冷蔵庫を提供できるので、この種の冷蔵庫の製造産業分野において、好適に利用される可能性がある。
【符号の説明】
【００６０】
１  冷蔵庫
２  冷蔵庫本体
３  扉体
５  画像表示装置
２８  案内部材
３２  ファン支持部材
３２ａ，３２ｂ  給排気用の貫通孔
３３ａ，３３ｂ  係合部材
３５  固定部材
３５ａ，３５ｂ  配線用の貫通孔
３６  シールド部材
５０  表示制御基板
【図１】
0006733077.tif 000002
【図２】
0006733077.tif 000003
【図３】
0006733077.tif 000004
【図４】
0006733077.tif 000005
【図５】
0006733077.tif 000006